(57)【特許請求の範囲】
【請求項１】
緊締可能に形成した輪部を有する複数本の毛髪からなる増毛用毛髪を輪部中に自毛を挿通し緊締することにより自毛に増毛用毛髪を結び付けて結び目を形成した後に、自毛結び目形成具によりその結び目より上方に増毛用毛髪が抜けないように自毛結び目を形成する増毛方法において、
自毛結び目形成具は、毛巻き杆と自毛結び具とより構成し、
毛巻き杆は自毛を巻き付けて輪状とした毛巻き部を周方向に形成するように先端先鋭状の長手棒状に形成して構成し、  
自毛結び具は、先端にフック部を形成して毛巻き部より先端の自毛を係止しながら毛巻き部内に挿通して自毛結び目を形成するように構成したことを特徴とする自毛結び目形成具。
【請求項２】
毛巻き杆の表面には長手方向に自毛結び具のフック部が挿通可能な溝部を形成したことを特徴とする請求項１記載の自毛結び目形成具。
【請求項３】
毛巻き杆の周面に断面凹状部を形成し、これを溝部としたことを特徴とする請求項２記載の自毛結び目形成具。
【請求項４】
毛巻き杆は、その本体が丸棒状又は断面円筒状に形成されていることを特徴とする請求項１〜３のいずれか１項に記載の自毛結び目形成具。
【請求項５】
自毛結び具は、先端にフック部を有するタッピよりなることを特徴とする請求項１〜４のいずれか１項に記載の自毛結び目形成具。
【請求項６】
毛巻き杆は、
把持部先端に支持された先端先鋭状のガイド棒と、
ガイド棒の周囲に所定間隙を有して把持部先端に支持された毛巻き筒と、
毛巻き筒の先端を斜めに切削して切削部分を自毛結び具のフック部が挿通可能な溝部に形成した結び目形成部とよりなることを特徴とする請求項１〜５のいずれか１項に記載の自毛結び目形成具。
【請求項７】
緊締可能に形成した輪部を有する複数本の毛髪からなる増毛用毛髪を輪部中に自毛を挿通し緊締する工程と、
毛巻き杆と自毛結び具とより構成し、毛巻き杆は自毛を巻き付けて輪状とした毛巻き部を周方向に形成するように先端先鋭状の長手棒状に形成して構成し、自毛結び具は、先端にフック部を形成して毛巻き部より先端の自毛を係止しながら毛巻き部内に挿通して自毛の結び目を形成するように構成した自毛結び目形成具により、自毛を自毛結び目形成具の毛巻き杆の周囲に巻き付けて毛巻き部を形成し、毛巻き部内に自毛結び具により自毛を挿通することで大きな結び目の輪としての自毛結び目を形成する工程と、
自毛端を引張りながら結び目の輪を小さくして自毛結び目を結び目形成部からガイド棒を通して頭皮側にスライドする工程と、
自毛結び目形成具を頭皮から離しながら更に自毛を毛髪先端側に引張り上げることで結び目の輪を絞って増毛用毛髪の上方に隣接して自毛結び目を形成する工程と、よりなることを特徴とする増毛方法。
【請求項８】
毛巻き杆は、
把持部先端に支持された先端先鋭状のガイド棒と、
ガイド棒の周囲に所定間隙を有して把持部先端に支持された毛巻き筒と、
毛巻き筒の先端を斜めに切削して切削部分を自毛結び具のフック部が挿通可能な溝部に形成した結び目形成部とよりなることを特徴とする請求項７記載の増毛方法。
【請求項９】
増毛用毛髪の端部の輪部は、自毛が伸長する度に可及的に頭皮に近い自毛の基端部までスライドすると共に、自毛の直上部で増毛用毛髪の輪部に近接して自毛結び目形成具により自毛結び目を形成することを特徴とする請求項７又は請求項８に記載の増毛方法。
【発明の詳細な説明】
【技術分野】
【０００１】
この発明は自毛結び目形成具及びそれを用いた増毛方法、詳しくは増毛用の毛髪を自毛に結び付けることで増毛可能とする増毛技術に関する。
【背景技術】
【０００２】
従来、複数本の毛髪からなる増毛用毛髪を頭皮から伸びる自毛に結びつけることで増毛可能とする増毛方法が知られている。すなわち、その先端に輪部を形成した増毛用毛髪を用いて、その輪部内に自毛を挿通すると共に輪部を頭皮側までスライドさせて、輪部を絞って自毛周辺に締付固定することで増毛する方法である。
【０００３】
前記増毛用毛髪は、人工用毛髪や人毛を自毛に結び付ける方法であるので、見た目に自毛と変わりないように増毛可能であり、しかもその増毛方法が簡便である。したがって、従来のような部分的なかつらを装着することなく、増毛していることが人に気づかれないメリットを有する。また、その増毛方法において、増毛用毛髪が自毛から簡単には抜けないような増毛技術が開発されている。
【０００４】
例えば、下記特許文献１にはかかる増毛法及び自毛結び目形成具が開示されている。すなわち、特許文献１には、輪部を介して増毛用毛髪を自毛に結び付けた後に、輪部より離れた上方の位置、すなわち、自毛結び目が手動で形成しやすい位置に自毛結び目を形成し、増毛用毛髪が自毛結び目より先にスライドしないようにすることにより、増毛用毛髪の輪部に接着剤などの固着用の部材を用いることなく、長期にわたって増毛用毛髪が自毛から外れないようにした増毛法及び増毛用具が開示されている。
【先行技術文献】
【特許文献】
【０００５】
【特許文献１】特公平７−９６７２２号公報
【発明の概要】
【発明が解決しようとする課題】
【０００６】
しかし、上記増毛用毛髪を使用する増毛方法では、輪部に緩みが生じると、頭皮側に固定された増毛用毛髪がその上方にある自毛結び目を通過して毛髪先端側にスライドし、結果的に増毛用毛髪が脱毛する欠点を有していた。
【０００７】
また、従来では自毛の結び目を頭皮側で形成することが困難なため、時間の経過により自毛が所定長さ伸びて増毛用毛髪の輪部が自毛の途中に位置しても、それを頭皮側に戻して緊締固定することができなかった。このため、自毛はある程度伸長した後で所定長さカットされると同時に、増毛用毛髪はカットした自毛に緊締固定した状態で捨てられてしまい、そのまま継続して使用することができなかった。
【０００８】
そこで、本願発明は、前記課題を解決するためになされたもので、先端に輪部を備えた増毛用毛髪を自毛に結び付けた後に、所定の器具を用いて増毛用毛髪の結び目に可及的に近接して各結び目が隣接する状態となるように自毛結び目を形成固定することができる自毛結び目形成具及びそれを用いた増毛方法を提供することを目的としている。
【課題を解決するための手段】
【０００９】
請求項１に記載の発明は、緊締可能に形成した輪部を有する複数本の毛髪からなる増毛用毛髪を輪部中に自毛を挿通し緊締することにより自毛に増毛用毛髪を結び付けて結び目を形成した後に、自毛結び目形成具によりその結び目より上方に増毛用毛髪が抜けないように自毛結び目を形成する増毛方法において、自毛結び目形成具は、毛巻き杆と自毛結び具とより構成し、毛巻き杆は自毛を巻き付けて輪状とした毛巻き部を周方向に形成するように先端先鋭状の長手棒状に形成して構成し、自毛結び具は、先端にフック部を形成して毛巻き部より先端の自毛を係止しながら毛巻き部内に挿通して自毛結び目を形成するように構成したことを特徴とする自毛結び目形成具を提供せんとする。
【００１０】
また、請求項２に記載の発明は、毛巻き杆の表面には長手方向に自毛結び具のフック部が挿通可能な溝部を形成したことを特徴とする請求項１記載の自毛結び目形成具である。
【００１１】
また、請求項３に記載の発明は、毛巻き杆の周面に断面凹状部を形成し、これを溝部としたことを特徴とする請求項２記載の自毛結び目形成具である。
【００１２】
また、請求項４に記載の発明は、毛巻き杆は、その本体が丸棒状又は断面円筒状に形成されていることを特徴とする請求項１〜３のいずれか１項に記載の自毛結び目形成具である。
【００１３】
また、請求項５に記載の発明は、自毛結び具は、先端にフック部を有するタッピよりなることを特徴とする請求項１〜４のいずれか１項に記載の自毛結び目形成具である。
【００１４】
また、請求項６に記載の発明は、毛巻き杆は、把持部先端に支持された先端先鋭状のガイド棒と、ガイド棒の周囲に所定間隙を有して把持部先端に支持された毛巻き筒と、毛巻き筒の先端を斜めに切削して切削部分を自毛結び具のフック部が挿通可能な溝部に形成した結び目形成部とよりなることを特徴とする請求項１〜５のいずれか１項に記載の自毛結び目形成具である。
【００１５】
また、請求項７に記載の発明は、緊締可能に形成した輪部を有する複数本の毛髪からなる増毛用毛髪を輪部中に自毛を挿通し緊締する工程と、毛巻き杆と自毛結び具とより構成し、毛巻き杆は自毛を巻き付けて輪状とした毛巻き部を周方向に形成するように先端先鋭状の長手棒状に形成して構成し、自毛結び具は、先端にフック部を形成して毛巻き部より先端の自毛を係止しながら毛巻き部内に挿通して自毛の結び目を形成するように構成した自毛結び目形成具により、自毛を自毛結び目形成具の毛巻き杆の周囲に巻き付けて毛巻き部を形成し、毛巻き部内に自毛結び具により自毛を挿通することで大きな結び目の輪としての自毛結び目を形成する工程と、自毛端を引張りながら結び目の輪を小さくして自毛結び目を結び目形成部からガイド棒を通して頭皮側にスライドする工程と、自毛結び目形成具を頭皮から離しながら更に自毛を毛髪先端側に引張り上げることで結び目の輪を絞って増毛用毛髪の上方に隣接して自毛結び目を形成する工程と、よりなることを特徴とする増毛方法である。
【００１６】
また、請求項８に記載の発明は、毛巻き杆は、把持部先端に支持された先端先鋭状のガイド棒と、ガイド棒の周囲に所定間隙を有して把持部先端に支持された毛巻き筒と、毛巻き筒の先端を斜めに切削して切削部分を自毛結び具のフック部が挿通可能な溝部に形成した結び目形成部とよりなることを特徴とする請求項７記載の増毛方法である。
【００１７】
また、請求項９に記載の発明は、増毛用毛髪の端部の輪部は、自毛が伸長する度に可及的に頭皮に近い自毛の基端部までスライドすると共に、自毛の直上部で増毛用毛髪の輪部に近接して自毛結び目形成具により自毛結び目を形成することを特徴とする請求項７又は請求項８に記載の増毛方法である。
【発明の効果】
【００１８】
請求項１に記載の発明によれば、毛巻き杆と自毛結び具とより構成した自毛結び目形成具により、毛巻き杆の周面で毛を巻きつけた状態で、その周面に形成した溝部で自毛結び具のフック部で自毛を係止しながら自毛の先端を挿通することで自毛結び目の結び輪を簡単に形成することができる。そして、自毛結び具のフック部で支持すると共に、その結び輪を先端先鋭の毛巻き杆をスライドすることで結び目の輪を小さくして、最後に毛巻き杆を引き上げることで自毛結び目を増毛用毛髪の輪部に隣接して形成することができる。
【００１９】
そして、自毛結び目を増毛用毛髪の輪部に隣接して形成できることから、自毛の伸長にともない、順次増毛用毛髪を自毛の根元にまでスライドして次々に増毛用毛髪の結び目の直上に自毛結び目を形成し、増毛用毛髪の抜けを防止するストッパーとして機能を果たすことができる。
したがって、増毛用毛髪は自毛が伸長しても何度も同じ増毛用毛髪が使えることになり、増毛施術の費用を安価にすることができる効果がある。しかも、増毛用毛髪を緊締固定できると共に、しかも、自毛結び目形成具のガイド棒を通して結び目を頭皮直上において形成することができるため、自毛結び目を毛髪部分で覆うことができ、増毛していることをわかりにくくする効果を有する。さらに、自毛結び目形成具の構造が簡単であるので製造も容易である。
【００２０】
請求項２に記載の発明によれば、毛巻き杆の表面には長手方向に自毛結び具のフック部が挿通可能な溝部を形成しているので、溝部において自毛結び具のフック部で自毛を係止しながら毛巻き杆に巻き付けた輪部内に自毛の先端を挿通することで自毛結び目の結び輪を形成することが容易にできる。
【００２１】
請求項３に記載の発明によれば、毛巻き杆の周面に断面凹状部を形成し、これを溝部としているので、自毛結び具のフック部を挿通するスペースとして利用することができる。これにより、毛巻き杆の周面で毛を巻きつけた後に、その周面に形成した断面凹状部の溝部に自毛結び具のフック部を挿通し、自毛を係止しながら自毛の先端を毛巻き部内に挿通することで毛巻き杆の周囲で自毛結び目の結び輪を簡単に形成することができる。
【００２２】
請求項４に記載の発明によれば、毛巻き杆は、その本体が断面円筒状又は丸棒状に形成されているので、自毛を巻き付けやすい形状を有すると共に周面に溝部を形成しやすい形状を有している。
【００２３】
請求項５に記載の発明によれば、自毛結び具は、先端にフック部を有するタッピよりなるので、毛巻き杆に巻き付けた輪部内に先端のフック部で自毛を係止しながら自毛の先端を挿通することで自毛結び目の結び輪を形成することが容易である。
【００２４】
請求項６及び請求項８に記載の発明によれば、ガイド棒と結び目形成部と毛巻き筒とよりなる自毛結び目形成具を用いて、毛巻き筒とガイド棒との周りで自毛の結び目のための毛巻き部を形成し、結び目形成部を通してその毛巻き部をスライドさせ、毛巻き部内に自毛を挿通して結び目を形成すると共に、最後に結び目をガイド棒先端よりリリースすることで、自毛結び目形成具により自毛上に簡単に自毛結び目を形成できる効果を有する。
【００２５】
請求項７に記載の発明によれば、自毛結び目を増毛用毛髪直上に形成しているので、増毛用毛髪を可及的に頭皮側で緊締して固定することができ、増毛用毛髪が自毛結び目より上方に抜けにくくなる効果がある。
すなわち、自毛結び目形成具を用いて自毛が伸長しても、自毛結び目を可及的に頭皮直上、すなわち、一旦自毛根元まで戻した増毛用毛髪の輪部の上に隣接した位置で容易に形成することができるので  増毛用毛髪がスライドするのを防止するストッパーとしての機能を充分に果たすことができる。
従って、自毛の伸長毎に再度新しい増毛用毛髪を用いて増毛施術を施す必要がなく、増毛用毛髪を単に自毛の根元に戻すだけで何度も増毛用毛髪を使用することができ、経済的に増毛技術を用いることができる効果がある。
【００２６】
請求項９に記載の発明によれば、期間の経過後に自毛が所定長さ伸びた状態でも、増毛用毛髪の端部の輪部は、自毛が伸長する度に可及的に頭皮に近い自毛の基端部までスライドして使用することができる。そして、自毛の直上部で増毛用毛髪の輪部に近接して自毛結び目形成具により自毛結び目を形成し、自毛が伸長した分をカットさえすれば、増毛用毛髪をそのまま継続して使用することができる効果を有する。
【図面の簡単な説明】
【００２７】
【図１】本実施形態における自毛結び目形成具の構造を示した説明図である。
【図２】本実施形態における毛巻き杆の構造を示した説明図である。
【図３】図２とは別形態の毛巻き杆の構造を示した説明図である。
【図４】図３とは別形態の毛巻き杆の構造を示した説明図である。
【図５】本実施形態における増毛方法を適用する装着者の後頭部を示した説明図である。
【図６】本実施形態における増毛方法を実施する増毛用毛髪を示した説明図である。
【図７】本実施形態における増毛用毛髪を自毛に取り付ける方法を説明する説明図である。
【図８】本実施形態における増毛方法を説明する説明図である。
【図９】図４とは別形態の自毛結び目形成具を用いて自毛結び目を形成する状態を示した説明図である。
【図１０】図９とは別形態の自毛結び目形成具を用いて自毛結び目を形成する状態を示した説明図である。
【図１１】本実施形態における自毛が伸びた後で適用する増毛方法を説明する説明図である。
【発明を実施するための形態】
【００２８】
まず、図１は、本実施形態における自毛結び目形成具１の構造を説明する説明図である。すなわち、図１に示すように、自毛結び目形成具１は、毛巻き杆１ａ（又は図３に示す毛巻き杆１ｂ、又は図４に示す毛巻き杆１ｃ）と自毛結び具（タッピ１４）とより構成したものである。
【００２９】
図１に示すように、毛巻き杆１ａ〜ｃは、把持部２と、把持部２の先端側に支持部３を設け、その支持部３の先端に毛巻き棒状体４ａや毛巻き筒４ｂ〜ｃを設けたものである。
【００３０】
毛巻き棒状体４ａや毛巻き筒４ｂ〜ｃは、自毛１１を巻き付けて輪状とした毛巻き部１７を周方向に形成するものであり、その本体を丸棒状に構成したもの（図２（ｃ）に示す）、又は、その本体を断面円筒状に構成したもの（図３（ｃ）及び図４（ｃ）に示す）である。
【００３１】
自毛結び具は、図１に示すように、先端にフック部を有するタッピ１４よりなる。すなわち、タッピ１４は、手で把持する把持部１５と、把持部１５の先端にＪ字状のフック部１６を配設して自毛１１や増毛用毛髪１０を係止できるように構成している。また、タッピ１４は、Ｊ字状のフック部１６先端を閉じるようにベラ部２０をフック部１６基端部に回動自在に取り付けて構成している。
【００３２】
図２（ａ）〜図２（ｃ）は、本体を丸棒状に形成した毛巻き杆１ａの具体的な構造を示す説明図である。
【００３３】
図２（ａ）に示す毛巻き杆１ａは長手棒状に形成した毛巻き棒状体４ａを備えている。毛巻き棒状体４ａは、自毛１１を周囲に巻き付けて輪状とした毛巻き部１７を周方向に形成するように丸棒状に形成している。
【００３４】
また、毛巻き棒状体４ａは、頭皮に可及的に近接できるように、先端６ａを先鋭状にして長手棒状に構成している。このようにして、毛巻き棒状体４ａの先端６ａを頭皮に当接するように近接することができる。
【００３５】
また、図２（ｃ）に示すように、毛巻き棒状体４ａの表面には断面凹状部を形成している。この断面凹状部は、毛巻き棒状体４ａ本体の周面にタッピ１４のフック部１６が挿通可能な溝部Ｍとしている。そして、この溝部Ｍにおいてタッピ１４のフック部１６が挿通することで自毛結び目２２ａを形成可能とする結び目形成部７ａとしている。
【００３６】
図２（ｃ）に示すように、毛巻き杆１ａでは、溝部Ｍは、毛巻き棒状体４ａの長手方向に沿って形成し、断面逆三角形状の溝を有するように形成している。なお、溝部Ｍの形状はこれに限られず、断面半円弧状の溝に形成することもできる。
【００３７】
このようにして、本実施形態における毛巻き杆１ａは、図２（ｃ）に示すように、毛巻き棒状体４ａの周囲で自毛１１を巻き付けて輪状の毛巻き部１７を形成し、毛巻き棒状体４ａ表面の溝部Ｍにタッピ１４のフック部１６を挿通し、タッピ１４のフック部１６で自毛１１先端を係止しながら毛巻き部１７内に挿通することで、結び目形成部７ａにおいて自毛結び目２２ａを形成できるように構成している。
【００３８】
次に、別形態の毛巻き杆１ｂ〜ｃの具体的な構造について詳細に説明する。
図３（ａ）〜図３（ｃ）は図２（ａ）〜図２（ｃ）とは別形態を示す毛巻き杆１ｂの構造を示す説明図である。
【００３９】
図３（ａ）〜図３（ｃ）に示す毛巻き杆１ｂは、図２（ａ）〜図２（ｃ）に示す本体が先端先鋭状の長手棒状の毛巻き棒状体４ａを、本体が断面円筒状の毛巻き筒４ｂに変更したものである。すなわち、毛巻き筒４ｂは、自毛１１を周囲に巻き付けて輪状とした毛巻き部１７を周方向に形成するように本体を断面円筒形状に構成したものである。
【００４０】
また、毛巻き筒４ｂは、頭皮に可及的に近接できるように、毛巻き筒４ｂの先端６ｂを先鋭状に形成して構成したものである。このようにして、毛巻き筒４ｂの先端６ｂを頭皮に当接するように近接することができる。
【００４１】
そして、毛巻き筒４ｂ本体の把持部２側であって、毛巻き筒４ｂ本体の表面には長手方向にタッピ１４のフック部１６が挿通可能な溝部Ｍを形成している。すなわち、図３（ｃ）に示すように、毛巻き杆１ｂの周面に断面凹状部を形成し、これを溝部Ｍとしている。
【００４２】
図３（ｃ）に示すように、毛巻き筒４ｂ本体が断面円筒状を有する毛巻き杆１ｂでは、毛巻き筒４ｂ本体の上部が開口し、開口した本体内部に形成される空間により溝部Ｍを形成している。
【００４３】
そして、図３（ｃ）に示すように、溝部Ｍは、自毛１１を巻き付けて毛巻き部１７を形成した後にタッピ１４のフック部１６で係止して自毛１１を毛巻き部１７内に挿通しやすいようにしたものである。また、毛巻き筒４ｂの本体は斜めに切削しており、この切削部分を自毛結び具のフック部１６が挿通可能な溝部Ｍに形成した結び目形成部７ｂとしている。
【００４４】
このように、図３（ｃ）に示すように、毛巻き杆１ｂは、毛巻き筒４ｂの周囲に自毛１１を巻き付けて輪状の毛巻き部１７とし、結び目形成部７ｂにおいてタッピ１４のフック部１６で自毛１１を係止しながらその毛巻き部１７内に自毛１１の先端を挿通することで自毛結び目２２ａの結び目の輪を形成するように構成している。
【００４５】
なお、毛巻き杆１ｂは図３（ａ）〜図３（ｃ）に示すものに限られず、図４（ａ）〜（ｃ）に示す形態も挙げられる。図４（ａ）〜（ｄ）は、毛巻き杆１ｂの別形態を示す説明図である。すなわち、図４（ａ）〜（ｄ）に示す毛巻き杆１ｃは、上記図３（ａ）〜図３（ｃ）に示す本体が断面円筒状の形態を有する毛巻き杆１ｂの毛巻き筒４ｂ内部にガイド棒５を備えたものである。
【００４６】
具体的には、図４（ｂ）及び図４（ｂ）に示すように、毛巻き筒４ｃは、自毛１１を巻き付けて輪状の毛巻き部１７を周方向に形成できるように長手棒状に形成して構成している。また、毛巻き筒４ｃは、その断面が半円弧を有している。
【００４７】
毛巻き筒４ｃ内部中央にはガイド棒５を支持部３先端側に配設しており、ガイド棒５は可及的に頭皮に近接できるようにその先端６ｃを先鋭に形成している。毛巻き筒４ｃは、このガイド棒５の周囲を取り囲むように所定間隙Ｋを有して形成している。
【００４８】
図４（ｃ）及び図４（ｄ）に示すように、毛巻き筒４ｃの中途には、本体を斜めに切削して形成した結び目形成部７ｃを設けている。この結び目形成部７ｃは、自毛１１で形成される毛巻き部１７をガイド棒５の先端６ｃ側にスライドさせるのを容易にするために毛巻き筒４ｃ本体を斜めに切削したものである。そして、その切削した開口表面には断面凹状部を形成しており、この断面凹状部をタッピ１４のフック部１６が挿通可能な溝部Ｍとしている。
【００４９】
次に、増毛方法について図面に基づき詳説する。
【００５０】
図５〜図６は、本実施形態における増毛方法が適用される着用者Ａの頭部と増毛用道具の使用状態を示した図面である。
【００５１】
まず、本実施形態における増毛方法を適用するにあたって、図５に示すように、着用者Ａの後頭部側の髪をダッカールピン１９で留めておく。また、ダッカールピン１９を用いて髪と共に白い布２１の上部を留め、その白い布２１を後頭部に垂らしておく。白い布２１を垂らすことで増毛を施す自毛１１を判別しやすいようにしている
【００５２】
そして、タッピ１４のフック部１６で自毛１１を１本選択して取り出しておく。取り出した自毛１１は図３に示す白い布２１上に載置しておく。
【００５３】
次に、トレーに保持されている増毛用毛髪１０を１セット取り出して準備する。そして、図６に示すように、タッピ１４を用いてそのフック部１６で増毛用毛髪１０の輪部１２を引っ掛け、ベラ部２０を閉じた状態にしてフック部１６で輪部１２を保持するようにしている。
【００５４】
ここで、増毛用毛髪１０は、複数本の毛髪１３からなり、毛髪は人毛、または人工的に形成された人工毛である。その増毛用毛髪１０の毛髪１３本数は限定されない。例えば、１本の自毛１１に対して、増毛用毛髪１０の毛髪部分１３を２本にしたり、４本にしたりすることができる。
【００５５】
また、増毛用毛髪１０は、複数の毛髪１３を束ねて、その中間を大きな輪を作って結び目を形成し、その輪を輪部１２とする。その輪部１２は、その輪部１２内に自毛１１を挿通させて緊締させることで自毛１１に固定できるように形成されている。
【００５６】
さらに、増毛用毛髪１０は、その毛髪全体を例えば２２０℃の熱に耐えられる高品位の素材で形成すれば、ドライヤーやヘアーアイロン等の熱により変形・変質を防ぐことができる。
【００５７】
また、形状が記憶できるような増毛用毛髪１０を使用すれば、髪をセットするセット力にすぐれ、ボリューム感も増すことができる。
【００５８】
次に、増毛用毛髪の装着方法を図７（ａ）〜図７（ｃ）を参照して詳細に説明する。
【００５９】
図７は増毛用毛髪１０を自毛１１に装着する説明図であり、図７（ａ）は増毛用毛髪１０の輪部１２を頭皮側に取り付けた状態を示した説明図である。図７（ｂ）は増毛用毛髪１０の輪部１２を絞った状態を示した説明図である。図７（ｃ）は増毛用毛髪１０の輪部１２を頭皮側にスライドさせる状態を示した説明図である。図７（ｄ）は増毛用毛髪１０の輪部１２を頭皮側で緊締させた状態を示した説明図である。
【００６０】
まず、増毛用毛髪１０を結び付ける自毛１１を増毛用道具であるタッピ１４のＪ形状を有するフック部１６の先端で引っ掛けながら１本選択して、白い布２１上に載置しておく。次いで、トレー内に保持された増毛用毛髪１０の輪部１２を大きくした状態で複数タオル上に載置しておく（図示せず）。
【００６１】
そして、図７（ａ）に示すように、これから１セットの増毛用毛髪１０を、タッピ１４のフック部１６とベラ部２０とで保持して自毛１１の近くまで持っていく。そして、タッピ１４のフック部１６から増毛用毛髪１０をリリースしながら、増毛用毛髪１０の輪部１２中に自毛１１先端を挿通する。
【００６２】
この後、図７（ｂ）に示すように、増毛用毛髪１０の二又（あるいはそれ以上）の毛髪部分１３を一方の手の親指と人差し指で掴んで引張り上げることで、自毛１１上で増毛用毛髪１０の輪部１２を絞る。
【００６３】
この後、図７（ｃ）に示すように、自毛１１先端を他方の手の親指と人差し指で掴みながら、増毛用毛髪１０の二又の毛髪部分１３を一方の手の親指と人差し指で掴んで引張ることで、増毛用毛髪１０の輪部１２を頭皮側にスライドさせる。
【００６４】
これにより、図７（ｄ）に示すように、頭皮側において結び目としての輪部１２を緊締させて自毛１１に増毛用毛髪１０を結び付けることができる。ここまでは、従来の増毛方法と同じである。
【００６５】
次に、図８（ａ）〜図８（ｅ）を参照して自毛結び目形成具１を使用した増毛方法について詳説する。
【００６６】
図８（ａ）は毛巻き杆１ｃを用いて自毛による毛巻き部１７を形成した状態を示した説明図である。また、図８（ｂ）はタッピ１４のフック部１６で自毛１１先端側を係止した状態を示した説明図である。また、図８（ｃ）は、タッピ１４を用いて毛巻き部１７内に自毛１１先端を挿通させた状態を示した説明図である。図８（ｄ）は自毛結び目２２ａを頭皮側にスライドする状態を示した説明図である。また、図８（ｅ）は自毛結び目２２ａを形成した後に毛巻き杆１ｃを引き抜く状態を示した説明図である。また、図８（ｆ）は増毛用毛髪１０の輪部１２上で自毛結び目２２ａを形成させた状態を示した説明図である。
【００６７】
まず、図８（ａ）に示すように、本実施形態における毛巻き杆１ｃを使用して、毛巻き杆１ｃの先端６ｃを頭皮に当接するように可及的に近接させる。そして、毛巻き筒４ｃとガイド棒５との周囲を取り囲むように自毛１１による輪状の毛輪を形成し、この毛輪を毛巻き部１７とする。
【００６８】
次いで、図８（ｂ）に示すように、この毛巻き部１７内に結び目形成の要領で自毛１１先端を挿通する。すなわち、タッピ１４のフック部１６を溝部Ｍに挿入し、溝部Ｍに形成した結び目形成部７ｃにおいて自毛１１をフック部１６で係止する。
【００６９】
そして、自毛１１をフック部１６で係止しながら毛巻き部１７内に自毛１１先端側を挿通する。これにより、図８（ｃ）に示すように、大きな結び目の輪としての自毛結び目２２ａを形成する。
【００７０】
なお、図８（ａ）〜図８（ｃ）に示すように、毛巻き杆１ｃは当初より頭皮側に近接させているが、毛巻き杆１ｃの先端６ｃを頭皮から離した状態で図８（ｃ）に示す自毛結び目２２ａの輪を形成した後に、毛巻き杆１ｃの先端６ｃを頭皮側に近接させるようにしてもよい。
【００７１】
この後、図８（ｄ）に示すように、毛巻き杆１ｃを自毛１１の根元に近づけて自毛１１先端を引張り上げながら毛巻き杆１ｃを上方に引き上げながら、毛巻き筒４ｃ及びガイド棒５上に形成された自毛結び目２２ａを徐々に小さな輪となる結び目の輪になるように毛巻き筒４ｃから下方にスライドしていく。
【００７２】
同時に、図８（ｅ）に示すように、自毛１１を同時に上方に引っ張り上げながら、毛巻き筒４ｃの周面に小さい輪を作っていき、ガイド棒５の先端６ｃまで押下げて可及的に近い位置まで変位させて、この位置で毛巻き杆１ｃを引き抜くことで自毛結び目２２ａのための輪を絞って結び目を形成する。この状態では自毛結び目２２ａは増毛用毛髪１０の輪部１２の直上にあり、増毛用毛髪１０の抜けを防止するストッパーとして機能する。
【００７３】
これにより、図８（ｆ）に示すように、自毛結び目２２ａが増毛用毛髪１０の輪部１２に隣接して形成される。このようにして、増毛用毛髪１０の輪部１２に隣接して自毛結び目２２ａが形成され、前記増毛用毛髪１０は自毛１１の頭皮側に固定されて、増毛用毛髪１０の抜け止めを直上位置で防止することができる。
【００７４】
次に、別形態の毛巻き杆１ａ〜ｂを用いて増毛方法について説明する。図９（ａ）〜図９（ｆ）は、別形態の毛巻き杆１ａを用いて自毛結び目２２ａを形成する方法の説明図である。また、図１０（ａ）〜図１０（ｆ）は、別形態の毛巻き杆１ｂを用いて自毛結び目２２ａを形成する方法の説明図である。
【００７５】
なお、増毛用毛髪１０を自毛１１に装着する工程、すなわち、図７（ａ）〜図７（ｃ）に示す工程までは上記毛巻き杆１ｃを使用した場合と同じ方法である。
【００７６】
この後、図９（ａ）（又は図１０（ａ））に示すように、毛巻き杆１ａ〜ｂの毛巻き棒状体４ａ（又は毛巻き筒４ｂ）の周面に自毛１１を巻き付けて輪状とする毛巻き部１７を形成する。次いで、タッピ１４のフック部１６を溝部Ｍに挿通する。そして、図９（ｂ）（又は図１０（ｂ））に示すように、結び目形成部７ａ（又は結び目形成部７ｂ）においてタッピ１４のフック部１６で自毛１１を係止しながら毛巻き部１７内に自毛１１先端を挿通することで図９（ｃ）（又は図１０（ｃ））に示す自毛結び目２２ａの結び目の輪を形成する。この後、図９（ｅ）（又は図１０（ｅ））に示すように、毛巻き杆１ａ〜ｂ上で結び目を小さくしながら下方にスライドしていき、最後に毛巻き杆１ａ〜ｂを引き抜くことで自毛結び目２２ａを形成することもできる。
【００７７】
このようにして、本実施形態における自毛結び目形成具１を用いた増毛方法では、毛巻き杆１ａ〜ｃ本体の先端６ａ〜ｃを当接するように頭皮側に可及的に近づけて自毛結び目２２ａを形成するようにしている。毛巻き杆１ａ〜ｃは、毛巻き棒状体４ａや毛巻き筒４ｂ〜ｃの先端６ａ〜ｃが先鋭であるので、毛巻き棒状体４ａや毛巻き筒４ｂ〜ｃ上方では大きな結び目の輪を形成し、その後に徐々に下方にスライドさせて、毛巻き棒状体４ａや毛巻き筒４ｂ〜ｃの周面に小さい輪を作っていき、最後に先端６ａ〜ｃまで押下げて可及的に近い位置まで変位させて、この位置で自毛結び目２２ａのための輪を絞って結び目を形成できるように構成している。これにより、頭皮側により近接した位置で自毛結び目２２ａを形成することができる。
【００７８】
また、図８〜図１０に示すように、毛巻き杆１ａ〜ｃは、頭皮に対して斜めにした状態で当接するように頭皮側に可及的に近接させるようにする。このようにして、毛巻き杆１ａ〜ｃの先端６ａ〜ｃが先鋭の形状を有していても頭皮を傷つけずに自毛結び目２２ａを頭皮側で形成できるようにしている。
【００７９】
しかも、上記のように毛巻き杆１ｂ〜ｃの先端６ａ〜ｃを当接するように頭皮側に可及的に近接させて自毛結び目２２ａを形成するようにしているので、自毛結び目２２ａが増毛用毛髪１０の輪部１２の直上で形成され、しかも輪部１２に隣接して形成されるので、増毛用毛髪１０の輪部１２は自毛結び目２２ａを通過して上方に抜けにくくなる。
【００８０】
また、増毛用毛髪１０の輪部１２及び自毛結び目２２ａは、増毛用毛髪１０の毛髪部分１３で覆われた見にくい頭皮側に位置している。したがって、増毛用毛髪１０を装着した状態でも増毛したことがわかりにくく見た目に自然な形にすることができる。
【００８１】
次に、時間の経過により自毛１１が伸長した場合について説明する。
図１１（ａ）に示すように、時間の経過により自毛１１は所定の長さ伸びてしまうと、増毛用毛髪１０の輪部１２も伸長した自毛１１の途中に位置することになる。すなわち、時間の経過により、自毛１１が伸びることで増毛用毛髪１０の輪部１２が頭皮より離れた位置にある。
【００８２】
従来では、このように自毛１１が伸びてしまった状態でこのまま放置してしまうと、自毛１１はある程度伸長した後で所定長さカットされると同時に、増毛用毛髪１０はカットした自毛１１に緊締した状態で捨てられていた。
【００８３】
特に、高品位の増毛用毛髪１０を捨てることになると、新たに増毛用毛髪１０を準備して装着する必要があり、増毛する度に新たに装着する増毛用毛髪１０が必要となって不経済であった。
【００８４】
そこで、本実施形態における自毛結び目形成具１を使用した増毛方法では、自毛１１が時間の経過により伸長しても、自毛結び目形成具１を使用したメンテナンスにより増毛用毛髪１０を自毛１１の頭皮側に戻すものである。
【００８５】
そして、自毛結び目形成具１を使用することで、新たな自毛結び目２２ｂを頭皮側に可及的に近接した位置で形成するようにして、増毛用毛髪１０を何度も使用できるようしている。
【００８６】
以下、図１１（ａ）〜図１１（ｆ）を参照して自毛結び目形成具１を使用して増毛用毛髪１０を自毛１１の頭皮側に戻す方法について詳説する。
【００８７】
図１１（ａ）は自毛１１が伸長した状態を示した説明図である。また、図１１（ｂ）は増毛用毛髪１０を頭皮側に戻す直前の状態を示した説明図である。また、図１１（ｃ）は、増毛用毛髪１０を頭皮側に戻した状態を示した説明図である。図１１（ｄ）は自毛結び目形成具１で新たな自毛結び目２２ｂの輪を形成する状態を示した説明図である。また、図１１（ｅ）は自毛１１が伸長した分をカットする状態を示した説明図である。また、図１１（ｆ）は自毛１１カット後の増毛用毛髪１０の輪部１２上で新たな自毛結び目２２ｂを形成した状態を示した説明図である。
【００８８】
まず、図１１（ａ）に示すように、自毛１１は、時間の経過により所定の長さ伸びてしまうと、増毛用毛髪１０の輪部１２も緊締した状態で頭皮に対して自毛１１の途中に位置している。
【００８９】
次に、本実施形態では増毛用毛髪１０を頭皮側に戻すようにする。すなわち、増毛用毛髪１０の結び目としての輪部１２内にタッピ１４のフック部１６先端を係止して、増毛用毛髪１０の毛髪部分１３を手で支持しながらタッピ１４を手元に引張る等して輪部１２を緩める。又は輪部１２を緩めずそのままの状態としている。
【００９０】
増毛用毛髪１０の輪部１２を緊締した状態で、又は輪部１２を緩めた状態で、図１１（ｂ）に示すように、増毛用毛髪１０の結び目としての輪部１２を頭皮側に戻してやる。上記輪部１２を緩めた場合には、増毛用毛髪１０の二又の先端部分１３を上方に引っ張り上げることにより、頭皮に可及的に近接した位置において輪部１２を再度緊締させて自毛１１の根元位置に増毛用毛髪１０を結び付ける。図１１（ｃ）に示すように、この状態では、前回形成した自毛結び目２２ａはそのままで頭皮側より離れた位置に残存している。
【００９１】
この後、図１１（ｄ）に示すように、上記毛巻き杆１ａ〜ｃを頭皮に当接するように可及的に近接させて、新たな自毛結び目２２ｂを自毛１１上の可及的に頭皮に近い位置で形成する。新たな自毛結び目２２ｂは以下の方法により形成する。
【００９２】
すなわち、毛巻き杆１ａ〜ｃ本体の先端６ａ〜ｃを当接するように頭皮側に可及的に近づけて、毛巻き杆１ａ〜ｃの毛巻き棒状体４ａや毛巻き筒４ｂ〜ｃの周面で自毛１１を巻き付けて新たな自毛結び目２２ｂのための毛巻き部１７を形成する。
【００９３】
そして、毛巻き棒状体４ａや毛巻き筒４ｂ〜ｃの結び目形成部７ａ〜７ｃにおいて、タッピ１４のフック部１６で係止しながら毛巻き部１７内に自毛１１先端を挿通して新たな自毛結び目２２ｂとしての結び目の輪を形成する。
【００９４】
その後、新たな自毛結び目２２ｂとしての結び目の輪を徐々に下方にスライドさせて、毛巻き棒状体４ａ（又は毛巻き筒４ｂ〜４ｃ）の周面に小さい輪を作っていき、毛巻き棒状体４ａの先端６ａ（又は毛巻き筒４ｂの先端６ｂ、又はガイド棒５の先端６ｃ）まで押下げて自毛１１の根元の可及的に近い位置まで変位させて、この位置で新たな自毛結び目２２ｂのための輪を絞って結び目を形成する。
【００９５】
これにより、前回形成した結び目２２ａは頭皮より離れた自毛１１上にそのまま残存しているものの、新たな自毛結び目２２ｂは頭皮に近い増毛用毛髪１０の輪部１２の直上位置に形成することになる。
【００９６】
増毛用毛髪１０は、人体から直接伸びる毛ではないので、常に一定の長さを保持している。このため、自毛１１は、その先端が増毛用毛髪１０の先端よりも時間の経過分の長さ（図１１（ｅ）に示すＴ１）だけ突出する。その伸びた分（図１１（ｅ）に示すＴ１）は美容院等でカットすればよい。したがって、自毛１１が伸びたら、上記図１１（ａ）〜図１１（ｄ）に示すメンテナンスをした後、美容院でのカットにより同じ増毛用毛髪１０を何度も使用できる。
【００９７】
このようにして、図１１（ｆ）に示すように、増毛用毛髪１０を自毛１１の根元に戻した後は前述の初期の自毛結び目形成手順で当初の結び目２２ａはそのまま残存した状態で新たに頭皮に近い増毛用毛髪１０の輪部１２の直上位置で新たな自毛結び目２２ｂを形成し、増毛用毛髪１０を何度も繰り返して使用できることになる。
【００９８】
しかも、高品位の増毛用毛髪１０を装着している場合であっても、長期間使用しても傷みが生じにくい高品位の増毛用毛髪１０の特質を生かしながらそれを何度も使用することができる効果を有する。
【００９９】
このようにすることで、自毛１１が伸長してもスライド変位させた増毛用毛髪１０は何度でも使用し得ることになり、経済的である。しかも、自毛１１に残存した当初の結び目２２ａは自毛１１がある程度伸長すると、美容院でカットされることになる。
【０１００】
さらに、増毛用毛髪１０を後で増やすことで、その全体をボリュームアップすることもできる。すなわち、増毛用毛髪１０の輪部１２が結び付けられた自毛１１にさらに新たな増毛用毛髪１０の輪部１２を装着することで、髪量を増やすこともできる。
【０１０１】
このようにして、髪量が少ない人や髪の幅があまりない高齢者等が増毛することで、若返りするような見栄えにすることができる。
【０１０２】
この結果、本実施形態における自毛結び目形成具１及び増毛方法は、自然な形に増毛することができ、しかもその増毛が簡便で、自毛１１が伸びた後でもメンテナンスをすれば、増毛用毛髪１０を何度でも使用できて経済的である。
【符号の説明】
【０１０３】
Ａ  着用者
Ｍ  溝部
１  自毛結び目形成具
１ａ〜１ｃ  毛巻き杆
２  把持部
３  支持部
４  毛巻き筒
４ａ〜４ｃ  結び目形成部
５  ガイド棒
６  ガイド棒先端
１０  増毛用毛髪
１１  自毛
１２  輪部
１３  毛髪部分
１４  タッピ
１５  把持部
１６  フック部
１７  毛巻き部
１９  ダッカールピン
２０  ベラ部
２１  布
２２ａ  ２２ｂ  自毛結び目
【要約】
【課題】先端に輪部を備えた増毛用毛髪を自毛に結び付けた後に簡便にこれを固定することができる自毛結び目形成具及びそれを用いた増毛方法を提供すること。
【解決手段】
緊締可能に形成した輪部を有する複数本の毛髪からなる増毛用毛髪を輪部中に自毛を挿通し緊締することにより自毛に増毛用毛髪を結び付けて結び目を形成した後に、自毛結び目形成具によりその結び目より上方に増毛用毛髪が抜けないように自毛結び目を形成する増毛方法において、自毛結び目形成具は、毛巻き杆と自毛結び具とより構成し、毛巻き杆は自毛を巻き付けて輪状とした毛巻き部を周方向に形成するように先端先鋭状の長手棒状に形成して構成し、自毛結び具は、先端にフック部を形成して毛巻き部より先端の自毛を係止しながら毛巻き部内に挿通して自毛結び目を形成するように構成したことを特徴とする自毛結び目形成具である。
【選択図】図１【図１】
0005199496.tif 000002
【図２】
0005199496.tif 000003
【図３】
0005199496.tif 000004
【図４】
0005199496.tif 000005
【図５】
0005199496.tif 000006
【図６】
0005199496.tif 000007
【図７】
0005199496.tif 000008
【図８】
0005199496.tif 000009
【図９】
0005199496.tif 000010
【図１０】
0005199496.tif 000011
【図１１】
0005199496.tif 000012